(57)【特許請求の範囲】
【請求項１】
中央鏡の左右両側にサイド鏡が配置された鏡において、中央鏡は、ベースパネルの表面に鏡面パネルが止着されると共に鏡面パネルの側端面をベースパネルの側端面よりも内側に入り込ませてベースパネルの露出した前面部分を鏡面パネルの鏡面よりも段落ちした段差面とし、中央鏡の左右の側端部の少なくとも一方に取り付けられる縦サッシの内部に、上下多数のＬＥＤからなる光源を収納し且つＬＥＤの光軸を中央鏡のセンター正面前方に傾けて保持するためのＬＥＤ収納部を設け、ＬＥＤ収納部を上記ベースパネルの段差面に沿って配置すると共に、ＬＥＤ収納部の前面にＬＥＤを覆うための透光カバーを配置し、透光カバーの鏡面パネル側の内端部を鏡面パネルの鏡面延長線上に配置すると共に透光カバーの外端部を鏡面延長線よりも前方に突出させることで、透光カバーをＬＥＤの光軸と直交する方向に傾けて配置したことを特徴とするＬＥＤ付き鏡。
【請求項２】
上記縦サッシは、ベースパネルの側端面から嵌め込まれてネジ固定されるコ字形のベースパネル固定部と、前端が鏡面パネルの側端面側を押さえる鏡押え部として機能し且つ後端がベースパネルの段差面に当接する内側片と、後端がベースパネル固定部に連なり且つ前端が鏡面パネルの鏡面延長線よりも前方に突出する外側片と、内側片と外側片とを連結する連結片とが一体に構成され、内側片と外側片と連結片とで囲まれた空洞部がＬＥＤ収納部とされ、連結片にＬＥＤを取り付けると共に、ＬＥＤ収納部の前面開口の両側に透光カバーの内端部を挟持する内側挟持部と、透光カバーの外端部を挟持する外側挟持部とを設けたことを特徴とする請求項１記載のＬＥＤ付き鏡。
【請求項３】
上記中央鏡の一側端部が、展伸・折り畳み可能なスライド丁番を介して、中央鏡の背後に配置される収納スペースの側板に開閉自在に連結されていると共に、中央鏡の一側端部に配置される縦サッシの外端面に、中央鏡の開閉時に隣接するサイド鏡の側端部との接触を防止するための逃がし面を形成したことを特徴とする請求項１又は２記載のＬＥＤ付き鏡。
【発明の詳細な説明】
【技術分野】
【０００１】
本発明は、ＬＥＤ付き鏡に関し、詳しくは例えば洗面化粧台のミラーキャビネットにおける三面鏡の前方の照明を行なうために好適に用いられるＬＥＤ付き鏡に関するものである。
【背景技術】
【０００２】
洗面化粧台１４のミラーキャビネット１３に照明器具を取り付けるにあたり、図１２に示すように、鏡１６の上方部位に蛍光灯５０や白熱灯を固定して、洗面台１５の前面全体を照らすようにした構造が一般的である。この場合、洗面台１５の前面全体を照らすために、鏡１６の上方から大型の照明カバー５１を前方に向かって大きく張り出すように設置する必要があるため、鏡１６の高さ寸法Ｈに制約が生じるという課題があり、また光源である蛍光灯５０や白熱灯は発熱し、消費電力が大きく、寿命が短くて取り換えが必要となるという課題もある。
【０００３】
そこで従来より、図１３に示すように、サイド鏡２の内端部に縦方向に多数のＬＥＤ４（発光ダイオード）を配設することで、低電圧で電力消費量が少なく発熱せず、しかもスペースを取らず、寿命が長く、取り換えの手間もかからないようにしたミラーキャビネットが特許文献１により開示されている。
【０００４】
ところが上記特許文献１に示される従来例では、ＬＥＤ４からの光は、サイド鏡２の中央鏡１側の側端部から出射されるものであり、しかも中央鏡１のサイド前方Ｌに向かう光となり、そのために光が中央鏡１のセンター正面前方には十分に行き届かず、中央鏡１の前の使用者の顔や手元部分を照らすには不十分となり、化粧行為や髭剃り等を良好に行えないという課題を有しており、そのうえサイド鏡２にＬＥＤ４を設けるにあたって、サイド鏡２の側端部の銀塗装膜を無くし、その部分に背後からＬＥＤ４を取り付けるようにしているため、ＬＥＤを取付ける作業が煩雑となり、手間とコストがかかるという課題も有している。
【特許文献１】特開２００１−７８９０９号公報
【発明の開示】
【発明が解決しようとする課題】
【０００５】
本発明は上記の従来の問題点に鑑みて発明したものであって、多数のＬＥＤを光軸を傾けた状態で縦サッシに収納することにより、ＬＥＤを中央鏡の側端部に配置した構造でありながら、ＬＥＤから光を中央鏡のセンター正面前方に集めることができ、これにより中央鏡の前の使用者の顔や手元部分を十分に照らして化粧行為や髭剃り等が良好にできるようにし、さらにＬＥＤの取付作業を手間をかけずに低コストで行なえるようにしたＬＥＤ付き鏡を提供することを課題とするものである。
【課題を解決するための手段】
【０００６】
前記課題を解決するために本発明は、中央鏡１の左右両側にサイド鏡２が配置された鏡において、中央鏡１の左右の側端部１ａの少なくとも一方に取り付けられる縦サッシ３の内部に、上下多数のＬＥＤ４からなる光源を収納し且つＬＥＤ４の光軸Ａを中央鏡１のセンター正面前方Ｂに傾けて保持するためのＬＥＤ収納部５を設けたことを特徴としている。
【０００７】
このような構成とすることで、ミラー照明の光源としてＬＥＤ４を用いたので、縦サッシ３のＬＥＤ収納部５内部の狭いスペースにも収納可能となり、しかもＬＥＤ４の光軸Ａを中央鏡１のセンター正面前方Ｂに傾けることで、ＬＥＤ４を中央鏡１の側端部１ａに配置した構造でありながら、ＬＥＤ４からの光が中央鏡１のセンター正面前方Ｂに集まるようになり、中央鏡１の前の使用者の顔や手元部分を十分に照らすことができる。さらに縦サッシ３に設けたＬＥＤ収納部５にＬＥＤ４を組み込む構造であるので、従来のように鏡面パネル６の銀塗装膜を無くしてその部分にＬＥＤ４を取り付けたりする必要がなくなる。
【０００８】
また、上記中央鏡１は、ベースパネル７の表面に鏡面パネル６が止着されると共に鏡面パネル６の側端面６ａをベースパネル７の側端面７ａよりも内側Ｃに入り込ませてベースパネル７の露出した前面部分を鏡面パネル６の鏡面６ｂよりも段落ちした段差面８とし、この段差面８に縦サッシ３のＬＥＤ収納部５を配置し、ＬＥＤ収納部５の前面にＬＥＤ４を覆うための透光カバー９を配置し、透光カバー９の鏡面パネル６側の内端部９ａを鏡面パネル６の鏡面延長線Ｍ上に配置すると共に透光カバー９の外端部９ｂを鏡面延長線Ｍよりも前方Ｄに突出させることで透光カバー９をＬＥＤ４の光軸Ａと直交する方向に傾けて配置したことを特徴としている。
このような構成とすることで、縦サッシ３のＬＥＤ収納部５をベースパネル７の段差面８に沿って納まり良く配設できるようになり、また、ＬＥＤ４を覆う透光カバー９をＬＥＤの光軸Ａと直交する方向に傾けて配置するにあたって、透光カバー９の内端部９ａを鏡面パネル６の鏡面延長線Ｍ上に配置し且つ透光カバー９の外端部９ｂを鏡面延長線Ｍよりも前方Ｄに突出させるようにしたので、透光カバー９の飛び出し幅を小さく抑えることができると共に、鏡面パネル６の鏡面６ｂと透光カバー９とが連続した外観を呈するようになり、デザイン性を向上させることができる。
また、上記縦サッシ３は、ベースパネル７の側端面７ａから嵌め込まれてネジ固定されるコ字形のベースパネル固定部１８と、前端が鏡面パネル６の側端面６ａ側を押さえる鏡押え部１９として機能し且つ後端がベースパネル７の段差面８に当接する内側片２０と、後端がベースパネル固定部１８に連なり且つ前端が鏡面パネル６の鏡面延長線Ｍよりも前方Ｄに突出する外側片２１と、内側片２０と外側片２１とを連結する連結片２２とが一体に構成され、内側片２０と外側片２１と連結片２２とで囲まれた空洞部がＬＥＤ収納部５とされ、連結片２２にＬＥＤ４を取り付けると共に、ＬＥＤ収納部５の前面開口の両側に透光カバー９の内端部９ａを挟持する内側挟持部２４と、透光カバー９の外端部９ｂを挟持する外側挟持部２５とを設けたのが好ましい。
【０００９】
また、上記中央鏡１の一側端部１ａが、展伸・折り畳み可能なスライド丁番１０を介して、中央鏡１の背後に配置される収納スペース１１の側板１１ａに開閉自在に連結されていると共に、中央鏡１の一側端部１ａに配置される縦サッシ３の外端面に、中央鏡１の開閉時に隣接するサイド鏡２の側端部２ａとの接触を防止するための逃がし面１２を形成するのが好ましく、この場合、中央鏡１とサイド鏡２と間の隙間Ｓを狭く保ちながら、中央鏡１をスライド丁番１０により広角度で開放できるようになり、しかも縦サッシ３の外端面を逃がし面１２としたことによって、中央鏡１の開閉時にサイド鏡２の側端部２ａとの干渉を防止できるようになり、使い勝手が良好となる。
【発明の効果】
【００１０】
本発明に係るＬＥＤ付き鏡は、中央鏡の左右の側端部の少なくとも一方に取り付けられる縦サッシのＬＥＤ収納部内部に上下多数のＬＥＤからなる光源を収納し、ＬＥＤの光軸を中央鏡のセンター正面前方に傾けて保持したことにより、ＬＥＤを中央鏡の側端部に配置した構造でありながら、ＬＥＤからの光を中央鏡のセンター正面前方に集めることができて、中央鏡の前の使用者の顔や手元部分を十分に照らすことができ、化粧行為や髭剃り等を良好に行うことができるものであり、また、縦サッシにＬＥＤ収納部を設けたことにより、従来のように鏡の高さ寸法が制約されることがなく、そのうえ中央鏡の側端部へのＬＥＤの取り付け作業が容易となり、従来と比較してＬＥＤの取付作業を手間をかけずに低コストで実現できるものである。さらに、中央鏡のベースパネルに縦サッシのＬＥＤ収納部を配置する段差面を形成し、ＬＥＤを覆うための透光カバーの鏡面パネル側の内端部を鏡面パネルの鏡面延長線上に配置すると共に透光カバーの外端部を鏡面延長線りも前方に突出させたことにより、縦サッシのＬＥＤ収納部をベースパネルの段差面に沿って納まり良く配設しながら、透光カバーの飛び出し幅を小さく抑えることができると共に、鏡面パネルの鏡面と透光カバーとが連続した外観を呈するようになり、デザイン性を向上させることができるものである。
【発明を実施するための最良の形態】
【００１１】
以下、本発明を添付図面に示す実施形態に基いて説明する。
【００１２】
図１は本実施形態の洗面化粧台１４の一例を示している。ミラーキャビネット１３の前面に鏡１６が配設され、その背後に収納スペース１１（図５）が設けられ、鏡１６の下方には洗面台１５が設けられている。鏡１６は、中央鏡１と左右両側のサイド鏡２，２とを備えた三面鏡で構成されている。
【００１３】
中央鏡１は、図２に示すように、ベースパネル７の表面に両面接着テープ１７を介して鏡面パネル６が止着され、鏡面パネル６及びベースパネル７の左右両側端面に沿ってアルミ製の縦サッシ３が取り付けられている。
【００１４】
本例では、鏡面パネル６の横幅寸法Ｅがベースパネル７の横幅寸法Ｆ（＞Ｅ）よりも若干短く形成されており、これにより、図２に示すように、鏡面パネル６の側端面６ａがベースパネル７の側端面７ａよりも内側Ｃに入り込んで、ベースパネル７の露出した前面部分が鏡面パネル６の鏡面６ｂよりも段落ちした段差面８となっている。段差面８はベースパネル７の上下方向全長に亘って設けられ、この段差面８に沿ってアルミ製の縦サッシ３に設けたＬＥＤ収納部５が配置されるようになっている。
【００１５】
上記縦サッシ３は、図２、図３に示すように、ベースパネル７の側端面７ａから嵌め込まれてネジ固定されるコ字形のベースパネル固定部１８と、上記ベースパネル７の段差面８に沿って配置されるＬＥＤ収納部５と、鏡面パネル６の側端面６ａ側を押さえる鏡押え部１９とが一体形成されている。ベースパネル固定部１８は側係止部１８ａと前係止部１８ｃと後係止部１８ｂとからなり、後係止部１８ｂの複数個所にベースパネル７の側端面７ａにネジ止めされるネジ孔部１８ｄ（図３（ａ））が設けられている。
【００１６】
ここで、上記ＬＥＤ収納部５は、上下多数のＬＥＤ４（発光ダイオード）からなる光源を収納すると共にＬＥＤ４の光軸Ａを中央鏡１のセンター正面前方Ｂに傾けて保持するためのものである。ここで、ＬＥＤ４の光軸Ａの角度は、中央鏡１の鏡面６ａを基準として側端部１ａの前方Ｄを９０°としたとき、９０°よりも小さい角度、つまり、側端部１ａの前方Ｄとは非平行であって、しかも中央鏡１のセンター正面前方Ｂ、つまり中央鏡１の前に人が居る場合にその人に向かって光が照射される方向に向いていることをいう。図２に示す例では、前端が鏡押え部１９として機能し且つ後端がベースパネル７の段差面８に当接する内側片２０と、後端がベースパネル固定部１８に連なり且つ前端が鏡面パネル６の鏡面延長線Ｍよりも前方Ｄに突出する外側片２１と、内側片２０と外側片２１とを連結する連結片２２とが一体に構成され、内側片２０と外側片２１と連結片２２とで囲まれた空洞部がＬＥＤ収納部５とされる。連結片２２の複数個所にはＬＥＤ４をネジ止めするネジ孔部２２ｃ（図３（ｂ））が設けられ、連結片２２の前面には上下多数のＬＥＤ４がそれぞれ樹脂製ネジ（図示せず）を用いてネジ止めされている。連結片２２は、内端部２２ａよりも外端部２２ｂが前方Ｄに突出するように傾斜しており、これにより連結片２２は、ＬＥＤ４が発する熱をサッシに逃がすための放熱板としての役割に加えて、ＬＥＤ４の光軸Ａを中央鏡１のセンター正面前方Ｂに傾けて保持する役割を兼ねている。なお連結片２２の傾斜角度はＬＥＤ４の傾斜角度に応じて適宜設計変更されるものである。
【００１７】
さらに、ＬＥＤ収納部５の前面には、図２に示すように、ＬＥＤ４を覆うと共にＬＥＤ４からの光を外部に透過する透光カバー９が配置されている。透光カバー９は光透過性の樹脂材料からなり、背面が平坦な入光面、前面が平坦な出光面となった平板状に形成されており、背面の両サイドには係合溝２３がそれぞれ形成されている。本例ではＬＥＤ収納部５の前面は開口しており、その開口の両側に透光カバー９の内端部９ａを挟持する内側挟持部２４と、透光カバー９の外端部９ｂを挟持する外側挟持部２５とが設けられている。内側挟持部２４及び外側挟持部２５は、それぞれ、透光カバー９の前面に当たる前側リブ２６と、透光カバー９の背面の係合溝２３に嵌り込む後側リブ２７とからなる。本例では外側挟持部２５が内側挟持部２４よりも前方Ｄに突出するように配置されている。そして透光カバー９を縦サッシ３の長さ方向の一端側からスライド挿入してその両端部を外側挟持部２５と内側挟持部２４とで挟持することで、透光カバー９をＬＥＤ４の光軸Ａと直交する方向に傾けて配置できるようになっている。
【００１８】
しかして上記構成によれば、ミラー照明の光源としてＬＥＤ４を用いるので、縦サッシ３に設けたＬＥＤ収納部５の狭いスペースにも設置でき、しかもＬＥＤ収納部５を中央鏡１の鏡面パネル６の横に併設できる構造であるため、ＬＥＤ収納部５の前方Ｄへの飛び出し幅が少なくて済み、外観上の納まりが良好となり、そのうえ従来のように鏡１６の上方部に大型の照明装置を設置しなくて済むので、鏡１６の高さ寸法Ｈ（図）が制約されることもない。また上下多数のＬＥＤ４をＬＥＤ収納部５に収納すると共にＬＥＤ４の光軸Ａを中央鏡１のセンター正面前方Ｂに傾けているので、ＬＥＤ４を中央鏡１の側端部１ａに配置した構造でありながら、中央鏡１の側端部１ａから出射する光が中央鏡１のセンター正面前方Ｂに集まるようになり、中央鏡１の前の使用者の顔や手元部分を十分に照らすことができ、従って、化粧行為や髭剃り等を良好に行うことができる利点がある。
【００１９】
また本例では、鏡面パネル６の横幅寸法をベースパネル７の横幅寸法よりも若干短くして、ベースパネル７の露出した前面部分を鏡面パネル６の鏡面６ｂよりも段落ちした段差面８とし、この段差面８に縦サッシ３のＬＥＤ収納部５を配置している。これにより、ＬＥＤ収納部５の外端面が縦サッシ３のベースパネル固定部１８の側係止部１８ａと略面一となり且つＬＥＤ収納部５の前面が鏡面延長線Ｍよりも前方Ｄに僅かに突出するだけとなり、鏡面パネル６の左右両側側に、それぞれＬＥＤ収納部５をコンパクトに併設できるようになる。しかもＬＥＤ収納部５内の傾いた連結片２２にＬＥＤ４をネジ固定するだけでよいので、従来のように鏡面パネル６の銀塗装膜を無くしてその部分にＬＥＤ４を取り付けたりする必要がないため、ＬＥＤ４の取付作業を手間をかけずに低コストで実現できる利点もある。
【００２０】
さらに本例では、ＬＥＤ収納部５の前面に配置される透光カバー９をＬＥＤ４の光軸Ａと直交する方向に傾けて配置することで、透光カバー９の出光面を中央鏡１のセンター正面前方Ｂに対面させることができ、また透光カバー９を傾けるにあたって、透光カバー９の内端部９ａを鏡面パネル６の鏡面延長線Ｍ上に配置し且つ透光カバー９の外端部９ｂを鏡面延長線Ｍよりも前方Ｄに突出させるようにしたので、透光カバー９の前方Ｄへの飛び出し幅を小さく抑えることができると共に、鏡面パネル６の鏡面６ｂとＬＥＤ収納部５の前面とが連続した外観を呈するようになり、デザイン性が向上する利点もある。
【００２１】
図５〜図７は、上記透光カバー９の他例を示している。図５（ａ）は、平板状の透光カバー９を図２の場合よりも薄肉状とした場合を示し、図５（ｂ）は平板状の透光カバー９を図２の場合よりも薄肉状とし且つこの薄肉状の透光カバー９の背面を凹凸面３０で形成することでＬＥＤ４からの光を散乱させて、ＬＥＤ４から発せられる光を広い角度で出射できるようにした場合を示している。図６は、平板状の透光カバー９を図２の場合よりも厚肉状とし且つこの厚肉状の透光カバー９の背面全体を平坦面とし、ＬＥＤ収納部５の外側挟持部２５及び内側挟持部２４における後側リブ２７を透光カバー９の背面に沿わせるようにした場合を示している。図７は、平板状の透光カバー９を図２の場合よりも薄肉状とし且つこの薄肉状の透光カバー９の両端部に背後に向かって略Ｌ字形の屈曲部３１を設け、外側挟持部２５及び内側挟持部２４の各後側リブ２７を略Ｌ字形の屈曲部３１に係止する逆Ｌ字形の屈曲形状とした場合を示している。
【００２２】
図８、図９は、上記中央鏡１の一側端部１ａが、展伸・折り畳み可能なスライド丁番１０を介して、ミラーキャビネット１３の収納スペース１１の側板１１ａに開閉自在に連結し、中央鏡１を略９０°まで開放可能とした場合の一例を示している。スライド丁番１０は、収納スペース１１の側板１１ａに取り付けられる一方の接続部３２と、中央鏡１の一側端部１ａの裏面側に取り付けられる他方の接続部３３と、両接続部３２，３３を展伸・折り畳み可能に連結する平行リンクプレート３４とで構成される。なお図中の３５，３６は平行リンクプレート３４の一端側の枢支部、３７，３８は他端側の枢支部である。しかして、中央鏡１を開くと図９のように平行リンクプレート３４が展伸することによって広角度で開放可能となり、中央鏡１を閉じると図８のように平行リンクプレート３４が折り畳まれる。このスライド丁番１０の構造は、本出願人が既に開示している特開２００３−１８９９５０号公報等により公知となっている技術を採用することができるので、詳細な説明は省略する。
【００２３】
また図８の例では、中央鏡１の一側端部１ａに取り付けられた縦サッシ３のＬＥＤ収納部５の外側片２１には、中央鏡１の開閉時に隣接するサイド鏡２の側端部２ａとの接触を防止するための逃がし面１２が形成されている。本例の逃がし面１２は、縦サッシ３の上下方向全長にわたって設けられると共に、逃がし面１２の後端部は鏡面パネル６の鏡面延長線Ｍ上に位置し、且つ逃がし面１２の前端部は鏡面延長線Ｍよりも前方Ｄに突出したテーパー面で形成されており、この逃がし面１２によって中央鏡１の開閉時にサイド鏡２の側端部２ａとの干渉を防止できるようになる。しかして、中央鏡１を転伸・折り畳み可能なスライド丁番１０を用いて開閉自在としたので、中央鏡１とサイド鏡２と間の隙間Ｓを狭く保ちながら、中央鏡１を広角度で開放できるようになり、しかも中央鏡１の縦サッシ３のＬＥＤ収納部５の外側片２１に逃がし面１２を設けたので、中央鏡１の開閉時にサイド鏡２の側端部２ａとの干渉を防止できるものである。また、中央鏡１とサイド鏡２と間の隙間Ｓを狭くすることで、中央鏡１及びサイド鏡２の横幅寸法を大きく確保できるようになり、しかも両鏡１，２を閉じた状態で、両鏡１，２間の隙間Ｓを狭くできるので、該隙間Ｓから収納スペース１１内の収納物が見えてしまうのを防止でき、そのうえ、スライド丁番１０により中央鏡１を広角度で開放できるので、収納物の出し入れが容易となる。この結果、美観性と使用性の両方に優れた構造となる。
【００２４】
ところで、透光カバー９をＬＥＤ収納部５に取り付けた状態で、縦サッシ３の長さ方向の両端部３３ａ，３３ｂ（図３）が開口しているため、そこからホコリなどが進入するおそれがある。そこで、図１０に示すエンドキャップ４０を用いて縦サッシ３の長さ方向の両端部３３ａ，３３ｂを塞ぐのが望ましい。本例では、ＬＥＤ収納部５の連結片２２の背後側にはベースパネル固定部１８と外側片２１とからそれぞれ突出させたリブによって嵌合凹所４１（図２）が形成されており、一方、エンドキャップ４０の内面には嵌合凹所４１と対向する嵌合リブ４２（図１０）が突設されており、嵌合リブ４２が嵌合凹所４１に嵌合することで縦サッシ３の長さ方向の両端部３３ａ，３３ｂにそれぞれエンドキャップ４０を容易に且つ確実に固定でき、ＬＥＤ収納部５内部へのホコリなどの進入を防止できるようになる。
【００２５】
なお、上記ＬＥＤ収納部５に設けられる嵌合凹所４１は必須要素ではなく、図４に示すように嵌合凹所を省略して、別の方法（例えば、ネジ止めなど）でエンドキャップ４０を取り付けるようにしてもよい。
【００２６】
なお、前記図１の実施形態では、中央鏡１の左右の縦サッシ３にそれぞれＬＥＤ４を収納するＬＥＤ収納部５を設けた場合を例示したが、片側の縦サッシ３のみにＬＥＤ収納部５を設けたものであってもよい。さらに他の実施形態として、図１１に示すように、左右のサイド鏡２の外端部２ｂにそれぞれ取り付けられる縦サッシ３にＬＥＤ収納部５を設けるようにしてもよい。ここで、サイド鏡２側のＬＥＤ収納部５は、中央鏡１側のＬＥＤ収納部５と同様な構成をしており、これによりサイド鏡２を開閉してサイド鏡２の外端部２ｂからの光を必要な場所（例えば、中央鏡１のセンター正面前方Ｂ）に向けることができるなど、使い勝手が一層良くなるものである。
【００２７】
本発明に係るＬＥＤ付き鏡は、洗面化粧台１４のミラーキャビネット１３の化粧鏡に限られず、複数枚の鏡を並べて配置した鏡全般の分野に広く活用できるものである。
【図面の簡単な説明】
【００２８】
【図１】本発明の一実施形態に用いる洗面化粧台のミラーキャビネットの斜視図である。
【図２】図１のＧ−Ｇ線断面図である。
【図３】（ａ）（ｂ）は同上の縦サッシの正面図及び背面図である。
【図４】同上の縦サッシの変形例の説明図である。
【図５】（ａ）は同上の透光カバーの他の変形例を説明する断面図、（ｂ）は更に他の変形例を説明する断面図である。
【図６】同上の透光カバーの更に他の変形例を説明する断面図である。
【図７】同上の透光カバーの更に他の変形例を説明する断面図である。
【図８】同上の中央鏡を閉じた状態を説明する断面図である。
【図９】同上の中央鏡が略９０°まで開いた状態を説明する断面図である。
【図１０】同上の縦サッシの端面に装着されるエンドキャップを示し、（ａ）は正面図、（ｂ）は右側面図、（ｃ）は背面図、（ｄ）は左側面図、（ｅ）は平面図である。
【図１１】同上のサイド鏡の外端部にＬＥＤ収納部を追加した場合を説明する斜視図である。
【図１２】従来例の斜視図である。
【図１３】他の従来例の斜視図である。
【符号の説明】
【００２９】
１  中央鏡
１ａ  側端部
２  サイド鏡
３  縦サッシ
４  ＬＥＤ
５  ＬＥＤ収納部
６  鏡面パネル
６ａ  側端面
７  ベースパネル
７ａ  側端面
８  段差面
９  透光カバー
９ａ  内端部
９ｂ  外端部
１０  スライド丁番
１１  収納スペース
１１ａ  側板
１２  逃がし面
Ａ  光軸
Ｂ  センター正面前方
Ｃ  内側
Ｄ  前方
Ｍ  鏡面延長線
【図１】
0004470852.tif 000002
【図２】
0004470852.tif 000003
【図３】
0004470852.tif 000004
【図４】
0004470852.tif 000005
【図５】
0004470852.tif 000006
【図６】
0004470852.tif 000007
【図７】
0004470852.tif 000008
【図８】
0004470852.tif 000009
【図９】
0004470852.tif 000010
【図１０】
0004470852.tif 000011
【図１１】
0004470852.tif 000012
【図１２】
0004470852.tif 000013
【図１３】
0004470852.tif 000014